(57)【要約】【課題】限られたスペース内でフォーカスストロークの自由度を上げたレンズ鏡筒を提供する。【解決手段】レンズ鏡筒が、駆動部３５と、駆動部３５の被写体側に固定されるフランジ部３５ｃと、駆動部３５の軸上に設けられてフランジ部３５ｃを貫通し、駆動部３５によって回転駆動することを通じて、撮像光学系のレンズを光軸方向に進退させるリードスクリュー３５ａと、リードスクリュー３５ａの駆動部側の根元部に設けられ、リードスクリュー３５ａと一体的に回転するパルス板４１と、パルス板４１の信号を検知するフォトインタラプタ４３と、フォトインタラプタホルダ３６とを備える。フランジ部３５ｃに切り欠き部３５ｉが設けられている。また、フォトインタラプタホルダ３６が切り欠き部３５ｉに挿入され、フランジ部３５ｃとフォトインタラプタホルダ３６とが光軸と直交する方向から見て重複する。【選択図】図７
2014006466.tif 000002
【特許請求の範囲】
【請求項１】
駆動部と、
前記駆動部の被写体側に固定されるフランジ部と、
前記駆動部の軸上に設けられて前記フランジ部を貫通し、前記駆動部によって回転駆動することを通じて、撮像光学系のレンズを光軸方向に進退させるリードスクリューと、
前記リードスクリューの前記駆動部側の根元部に設けられ、前記リードスクリューと一体的に回転するパルス板と、
前記パルス板の信号を検知する少なくとも１つの検知手段を保持する保持部材とを備え、
前記フランジ部に切り欠き部が設けられており、
前記保持部材が前記切り欠き部に挿入され、前記フランジ部と前記保持部材とが前記光軸と垂直な方向から見て重複している
ことを特徴とするレンズ鏡筒。
【請求項２】
前記切り欠き部に前記保持部材が挿入され、
前記フランジ部と、前記保持部材に保持された検知手段とが前記光軸と直交する方向から見て重複している
ことを特徴とする請求項１に記載のレンズ鏡筒。
【請求項３】
前記保持部材には穴部が設けられ、前記検知手段は、前記穴部に挿入される
ことを特徴とする請求項１または請求項２に記載のレンズ鏡筒。
【請求項４】
前記検知手段を複数備え、
前記複数の検知手段は、前記駆動部の軸を中心として放射方向に配置され、隣接する前記検知手段同士のなす角度は、前記パルス板の信号によって前記リードスクリューの回転方向が検知できる角度である
ことを特徴とする請求項１乃至３のいずれか１項に記載のレンズ鏡筒。
【請求項５】
前記複数の検知手段を電気接続するフレキシブル基板を備え、
前記フレキシブル基板は、各々の前記検知手段を並列接続する
ことを特徴とする請求項４に記載のレンズ鏡筒。
【請求項６】
前記フレキシブル基板は、前記駆動部の端子部と各々の前記検知手段と電気接続する
ことを特徴とする請求項５に記載のレンズ鏡筒。
【請求項７】
請求項１乃至６のいずれか１項に記載のレンズ鏡筒を備える撮像装置。
【請求項８】
撮像光学系をなすレンズが前記撮像光学系の光軸方向に移動する撮像装置であって、
前記レンズを駆動するための駆動部と、
前記駆動部の被写体側に固定されるフランジ部と、
前記駆動部の軸上に設けられて前記フランジ部を貫通し、前記駆動部によって回転駆動することを通じて、撮像光学系のレンズを光軸方向に進退させるリードスクリューと、
前記リードスクリューの前記駆動部側の根元部に設けられ、前記リードスクリューと一体的に回転するパルス板と、
前記パルス板の信号を検知する少なくとも１つの検知手段を保持する保持部材とを備え、
前記フランジ部に切り欠き部が設けられており、
前記保持部材が前記切り欠き部に挿入され、前記フランジ部と前記保持部材とが前記光軸と直交する方向から見て重複する
ことを特徴とする撮像装置。
【発明の詳細な説明】
【技術分野】
【０００１】
本発明は、レンズ鏡筒および撮像装置に関する。
【背景技術】
【０００２】
複数の光学レンズを光軸方向に移動させ撮影倍率を変更するズーム機構を備えるレンズ鏡筒が提案されている。このレンズ鏡筒は、レンズを保持するレンズ保持枠を回転するカム筒のカム溝に係合させ、直進筒によってレンズ保持枠の回転規制をして光軸に移動させる。また、フォーカスレンズ群のレンズ保持枠は、カム筒に係合している他群のレンズ保持枠とは独立しており、フォーカスモータに取り付けられるスクリューとそのスクリューに噛み合うナット、或いはラックによってスクリューの回転に伴い光軸方向に進退する。このスクリュー方式のフォーカス機構は一般的である。特許文献１は、スクリューの回転をフォトインタラプタ、或いはフォトリフレクタ等の信号検知手段によって検知し、レンズ保持枠の光軸方向の移動量を補正する装置を開示している。
【先行技術文献】
【特許文献】
【０００３】
【特許文献１】特開２０００−１９３８７７号公報
【発明の概要】
【発明が解決しようとする課題】
【０００４】
図１２は、特許文献１が開示する装置の構成を示す図である。図１２に示すように、フォーカス駆動のステッピングモータには、スクリュー１０９を介し先端にパルス板１２１とその信号を検知するフォトインタラプタ１２２が設けられている。ステッピングモータが通電されるとスクリュー１０９が回転し、スクリュー１０９と螺合するナット１１８は光軸方向に進退してナット１１８と係合しているフォーカスレンズ保持枠１０８とレンズ１０７も追従して進退する。この時、スクリュー１０９と一体的に取り付けられたパルス板１２１も回転し、フォトインタラプタ１２２によってその信号がカウントされ、カメラの使用温度下によって送りパルスとカウントパルスに差が生じた時にその量を補正して適正な合焦をすることができる。
【０００５】
しかし、特許文献１が開示する装置では、図１２に示すように、フォーカス機構のスペース使用範囲のうち、パルス板１２１とフォトインタラプタ１２２が地板１０１に取り付けられている部分Ｌには、レンズ保持枠が侵入できない。したがって、特許文献１が開示する装置では、この部分以外のスペースをフォーカスストロークとして使用する。そのため、フォーカス機構が占有する光軸方向のスペースに対してフォーカスストロークとして使える距離が短くなり、フォーカスの仕様をスペックダウンさせてしまう。
【０００６】
本発明は、限られたスペース内でフォーカスストロークの自由度を上げたレンズ鏡筒の提供を目的とする。
【課題を解決するための手段】
【０００７】
本発明の一実施形態のレンズ鏡筒は、駆動部と、前記駆動部の被写体側に固定されるフランジ部と、前記駆動部の軸上に設けられて前記フランジ部を貫通し、前記駆動部によって回転駆動することを通じて、撮像光学系のレンズを光軸方向に進退させるスクリューと、前記スクリューの前記駆動部側の根元部に設けられ、前記スクリューと一体的に回転するパルス板と、前記パルス板の信号を検知する少なくとも１つの検知手段と、前記検知手段を保持する保持部材とを備える。前記フランジ部に切り欠き部が設けられており、前記保持部材が前記切り欠き部に挿入され、前記フランジ部と前記保持部材とが前記光軸と直交する方向から見て重複する。
【発明の効果】
【０００８】
本発明によれば、限られたスペース内でフォーカスストロークの自由度を上げたレンズ鏡筒を提供することができる。
【図面の簡単な説明】
【０００９】
【図１】実施例１の撮像装置の外観の例を示す模式図である。
【図２】撮像装置のレンズ鏡筒断面図の例である。
【図３】撮像装置のレンズ鏡筒断面図の例である。
【図４】撮像装置のレンズ鏡筒分解斜視図の例である。
【図５】４群ホルダの斜視図の例である。
【図６】フォーカスモータユニットの斜視図の例である。
【図７】フォーカスモータユニットの分解斜視図の例である。
【図８】フォーカスモータユニットの側面図の例である。
【図９】フォーカスモータユニットの側面図の例である。
【図１０】フランジ部周りの構成例を示す図である。
【図１１】フォーカスモータユニットのフレキ這い回しを示す斜視図である。
【図１２】特許文献１が開示する装置の構成を示す図である。
【発明を実施するための形態】
【００１０】
（実施例１）
図１は、実施例１の撮像装置の外観の例を示す模式図である。１はカメラ本体である。カメラ本体１の前面には、撮影レンズの焦点距離が変更可能なレンズ鏡筒２が設けられている。レンズ鏡筒２の前面には、レンズ３を保護するレンズキャップを取り付け可能である。また、カメラ本体１の上面には被写体に照明光を照射するストロボ装置を構成する発光窓部４が設けられ、カメラ本体１の前面にはファインダ窓５が設けられている。
【００１１】
カメラ本体１の上面には，撮影準備動作（焦点調節動作および測光動作）及び撮影動作（フィルムやセンサー等の撮像素子への露光）を開始させるためのレリーズボタン６が設けられている。レリーズボタン６は、半押し操作（ＳＷ１押下）によって測光、オートフォーカス（ＡＦ）などの撮影準備動作を行わせ、全押し操作（ＳＷ２押下）によって画像の撮影動作（いわゆる本露光）及び記録動作を行わせる。なお、本発明の撮像装置は、図１に示す構成に限定されない。
【００１２】
図２及び図３は、撮像装置の鏡筒断面図の例である。図２は、レンズ鏡筒２（図１）が収納状態である場合の撮像装置の鏡筒断面図である。図３は、撮影状態における撮像装置の鏡筒断面図である。また、図４は、撮像装置の鏡筒分解斜視図の例である。
【００１３】
図１乃至図４に示すように、本実施例のレンズ鏡筒が備える撮像光学系は、４群の撮影レンズ群を有する。光軸方向被写体側から撮像素子側に向かって、１群レンズ１１Ｌ、２群レンズ１２Ｌ、３群レンズ１３Ｌ、４群レンズ１４Ｌという順で配置されている。１群レンズ１１Ｌは、１群筒１１に、２群レンズ１２Ｌは、２群ホルダ１２に、３群レンズ１３Ｌは、３群ユニット１３内に保持されている。また、フォーカスレンズ群である４群レンズ１４Ｌは、４群ホルダ１４に保持される。レンズ鏡筒２は、上記の４つの群の撮影レンズ群を保持し、光軸方向へ進退可能な機構を有している。また、レンズ鏡筒２は、カメラボディ１に対して据え付けられることで、カメラとして機能する。
【００１４】
次に、レンズ鏡筒２の内部構成および動作について説明する。固定筒３１は、１群筒１１を光軸方向に直進ガイドするガイド部３１ａと、２群ホルダ１２を光軸方向に直進ガイドするガイド溝３１ｂを備える。１群筒１１の内径側に設けられた直進溝（図示を省略）と、固定筒３１のガイド部３１ａとが係合する。２群ホルダ１２においては、カムピン１２ａと固定筒３１のガイド溝３１ｂとが係合する。これにより、２群ホルダ１２が光軸方向へ直進ガイドされる。
【００１５】
固定筒３１は、２本のガイドバー３２をそれぞれ内径側に保持している。ガイドバー３２は、光量を制御する絞りシャッタユニット２１のガイド部２１ｂ（図４）と係合する。また、ガイドバー３２は、３群ユニット１３中の３群ベース５１に備えられた係合部５１ｂ（図４）と係合する。これらの２本のガイドバー３２の回転規制により、絞りシャッタユニット２１、３群ユニット１３が、光軸方向へ直進ガイドされる。
【００１６】
カム筒３３は、外径側にカム溝（図中省略）が設けられ、１群筒１１のカムピン１１ａと係合する。また、カム筒３３内径側にカム溝（図中省略）が設けられ、２群ホルダ１２のカムピン１２ａ、絞りシャッタユニット２１のカムピン２１ａ（図４）、３群ユニット１３中の３群ベース５１のカムピン５１ａ（図４）とそれぞれ係合する。これらのカム溝のリフト量により、各群の光軸方向の移動量が制御される。
【００１７】
カム筒３３は、不図示の動力源によって、固定筒３１の外周を光軸中心に回転し、各群は、カム溝に沿って光軸方向へそれぞれ移動する。これにより、レンズ鏡筒２は、撮影時と沈胴時で鏡筒全長を変化させ、各群を光軸方向へ移動させることができる。
【００１８】
センサーホルダ３４は、撮像素子１５と、フォーカスモータ３５とを保持する。駆動部として機能するフォーカスモータ３５の動力により、４群ホルダ１４がガイド軸３４ａにガイドされながら光軸方向へ移動する。固定筒３１とセンサーホルダ３４とはビス等で固定される。また、ユニット化されたレンズ鏡筒２は、センサーホルダ３４を介してビス等で固定され、カメラボディ１に保持される。
【００１９】
次に、図５および図６を参照して、４群（フォーカスレンズ群）周辺のメカ機構について説明する。図５は、４群ホルダの斜視図の例である。図５（Ａ）は、４群ホルダの繰り込み時の状態を示す。図５（Ｂ）は、４群ホルダの繰り出し時の状態を示す。図６は、本実施例の撮像装置が備えるフォーカスモータユニットの斜視図の例である。
【００２０】
図５に示すように、４群ホルダ１４は、軸穴部１４ａを有する。軸穴部１４ａにラック３７の軸３７ａが嵌合されている。そして、圧縮バネ３９で光軸方向のガタ取りが行われている。圧縮バネ３９は、トーションバネの機能も備えており、ラック３７の歯の一部をリードスクリュー３５ａに付勢する。
【００２１】
図６に示すように、リードスクリュー３５ａは、フォーカスモータ３５の駆動部の軸上に設けられてフランジ部３５ｃを貫通している。リードスクリュー３５ａは、フォーカスモータ３５によって回転駆動することを通じて、４群レンズ１４Ｌ（図５（Ａ））を光軸方向に進退させる。リードスクリュー３５ａの駆動部側つまりフォーカスモータ３５側の根元部に、パルス板４１が固定されている。パルス板４１は、リードスクリュー３５ａと一体的に回転する。パルス板４１の信号が、２つのフォトインタラプタ４３でカウントされ、明暗の位相差をつけて回転方向の検出が行われる。すなわち、フォトインタラプタ４３は、パルス板４１の信号を検知する検知手段として機能する。フォトインタラプタ４３は、保持部材であるフォトインタラプタホルダ３６によって保持されている。図６に示す例では、レンズ鏡筒は、フォトインタラプタを複数備えているが、レンズ鏡筒は、少なくとも一つのフォトインタラプタ４３を備えていればよい。
【００２２】
フォトインタラプタホルダ３６は、フォーカスモータ３５のフランジ部３５ｃのねじ穴３５ｇに対して、ビス４２を穴部３６ｃを通して締結される（図７を参照）。フランジ部３５ｃは、フォーカスモータ３５の被写体側に固定される。フォトインタラプタ４３の信号線は、面実装部３８ａから引き出され、フォーカスモータ３５の端子部３５ｄからの信号線と共にフレキ３８によってまとめられ、コネクター部３８ｂから外部へ電気接続される。フレキ３８は、フォトインタラプタ４３を電気接続するフレキシブル基板である。
【００２３】
本実施例では、フォーカスモータ３５と、リードスクリュー３５ａと、パルス板４１と、フォトインタラプタ４３と、フォトインタラプタホルダ３６と、フレキ３８とが、構成部品として（フォーカスモータユニットとして）ユニット化している。したがって、フォーカスモータ３５の性能特性チェックと共に、フォトインタラプタ４３の明暗の信号と２つの信号の位相差等をまとめて検出し、管理することが可能である。
【００２４】
図７（Ａ）に示すように、コの字板金のフランジ部３５ｃとフォーカスモータ３５とが、溶接等によって固定されている。パルス板４１は、フォーカスモータ３５のリードスクリュー３５ａの根元にある段差部３５ｊに嵌まり、固定される。フォトインタラプタ４３が、フォトインタラプタホルダ３６の立ち壁３６ａに開けてある穴部３６ｄに挿入され、固定される。フォトインタラプタ４３の周り４方向の壁は、モールド部材で覆われており、フォーカスモータ３５の金属部分とは直接接触しない。
【００２５】
図７（Ｂ）に示すように、フォトインタラプタホルダ３６は、撮像面側に突起部３６ｂを有する。突起部３６ｂが、コの字板金の位置決め穴３５ｈに嵌合することによって、位置が決まり、ビス４２によって、コの字板金のフランジ部３５ｃに固定される。
【００２６】
フォーカスモータ３５は、センサーホルダ３４に対して位置決め穴３５ｅ（図６）で位置決めされ、ビス穴３５ｆ（図６）を介して、ビスによってセンサーホルダ３４と締結される。パルス板４１によるフォーカスモータ３５の回転のパルス信号は、フォーカスモータ３５の脱調検出と４群ホルダ１４のパルス補正等に用いられる。
【００２７】
フォーカスモータ３５が励磁されると、リードスクリュー３５ａが回転し、リードスクリュー３５ａ と噛み合っているラック３７が光軸方向に進退する。この時、ラック３７に追従する形で４群ホルダ１４も光軸方向に進退し、所定の送りパルスによって所望の位置まで動かすことができる。４群ホルダ１４の突起部４０ａ（図５）が、フォトインタラプタ４０に入り込んで暗の信号を出力する。図５（Ｂ）のように、４群ホルダが繰り出すと、明の信号に変わる。当該信号の明暗の切り換わりタイミングを送りパルスの基準とする。
【００２８】
次に、フォーカスモータ３５のフランジ部３５ｃと、フォトインタラプタ４３あるいはフォトインタラプタホルダ３６の光軸方向の位置関係について説明する。
【００２９】
図８は、フォーカスモータユニットの側面図の例である。図８（Ａ）は、本実施例のフォーカスモータユニットの側面図である。本実施例では、フォーカスモータ３５のフランジ部３５ｃが切り欠かれている。図８（Ｂ）は、フォーカスモータ３５のフランジ部３５ｃが切り欠かれていない構成をとる場合のフォーカスモータユニットの側面図である。
【００３０】
本実施例では、図７（Ａ）、（Ｂ）に示すように、フォーカスモータ３５のコの字板金のフランジ部３５ｃに切り欠き部３５ｉが設けられている。そして、切り欠き部３５ｉにフォトインタラプタホルダ３６の突起部３６ｅが挿入されている。したがって、図８（Ａ）に示すように、フォトインタラプタホルダ３６の撮像面側最下面位置が、フランジ部３５ｃの厚さｔの中に入り込んでいる。すなわち、フランジ部３５ｃとフォトインタラプタホルダ３６とが光軸と直交する方向から見て重複する。フランジ部３５ｃとフォトインタラプタ４３とが光軸と直交する方向から見て重複しているようにしてもよい。
【００３１】
一方、図８（Ｂ）に示す構成例では、フォーカスモータ３５のコの字板金のフランジ部３５ｃが切り欠かれていない。したがって、フランジ部３５ｃに接するようにフォトインタラプタホルダ３６が配置される。フォトインタラプタホルダ３６の撮像面側最下面位置が、フランジ部３５ｃの被写体側の面と接する位置となる。フォトインタラプタホルダ３６の撮像面側最下面位置からフォトインタラプタ４３までの肉厚を同じとすると、フォトインタラプタ４３の被写体側の面は、図８（Ａ）に示す構成のほうが、長さＬだけ撮像面側に寄せることができる。これにより、パルス板４１も長さＬだけモータ側に寄せられることになり、パルス板４１を避けるように凹形状を設けている４群ホルダ１４も長さＬの分だけ撮像面側へ繰りこむことができる。
【００３２】
図９は、フォーカスモータユニット周りのメカ機構の断面図の例である。具体的には、図９は、当該メカ機構を光軸とリードスクリュー３５ａの中心軸を含む平面で切った時の断面図を示す。
【００３３】
４群ホルダの位置は、図５（Ａ）に示す繰り込み時の位置である。本実施例のレンズ鏡筒によれば、４群レンズ１４Ｌの位置が、図８（Ｂ）に示す構成をとる場合よりも、撮像面側に長さＬだけ繰りこめることになる。したがって、フォーカスストロークも長さＬの分拡張される。この拡張されたストロークを、４群レンズ１４Ｌの無限遠位置を基準にして撮像面側へ利用する場合は、フォーカスの無限遠側の自由度を向上させることになり、被写体側へ利用する場合は、至近側の自由度を向上させることになる。
【００３４】
本実施例のレンズ鏡筒は、フォトインタラプタホルダ３６の一部がフォーカスモータ３５のコの字板金のフランジ部３５ｃに入り込む構成をとるが、本発明の構成は、この構成に限定されない。例えば、レンズ鏡筒が、フランジ部３５ｃの強度を更に上げて厚さｔが更に厚くなった場合のように、フォトインタラプタ４３自体がフランジ部３５ｃに入り込む位置関係となる構成をとってもよい。
【００３５】
また、本実施例では，フォトインタラプタホルダ３６の撮像面側下面をモールド部材で塞いでいるが、更にフォーカスストロークを稼ぐためにフォトインタラプタ４３を直接露出させてもよい。フォトインタラプタ４３を直接露出させる場合も、フォトインタラプタ４３自体がフランジ部３５ｃに入り込む位置関係となる。
【００３６】
（実施例２）
図１０は、実施例２におけるフランジ部周りの構成例を示す図である。図１０に、光軸方向被写体側から見た時のフォーカスモータ３５とフランジ部３５ｃの溶接部３５ｈを示す。図１０中の斜線部は、フォーカスモータ３５とフランジ部３５ｃが接している面である。斜線部の範囲内で溶接部３５ｈを設置することができる。
【００３７】
実施例１と同様に、実施例２においても、フォーカスモータ３５のフランジ部３５ｃには、フォトインタラプタホルダ３６の突起部３６ｅが入り込めるように切り欠き部３５ｉが設けられている（図７（Ａ）、（Ｂ）を参照）。つまり、フォトインタラプタホルダ３６が、隣接する２つのフォトインタラプタ４３を保持して覆っているモールド部（突起部３６ｅ）を逃げている。フォトインタラプタ４３の配置は、リードスクリュー３５ａを中心軸としてその放射方向である。すなわち、複数（この例では２つ）のフォトインタラプタ４３は、フォーカスモータ３５の軸を中心として放射方向に配置されている。２つのフォトインタラプタ４３のなす中心角は、以下に説明するように規定される。
【００３８】
本実施例では、パルス板４１が、５枚の羽根４１ａを有している（図７（Ａ）を参照）。したがって、パルス信号の明暗を等間隔に設定すると、羽根４１ａ一つあたりの角度は、一周３６０°の１０分割なので、３６°となる。
【００３９】
リードスクリュー３５ａの回転方向を検知するためには、２つのフォトインタラプタ４３のパルス信号を半パルス分（１８°）の位相差をつけるのが望ましい。したがって、５枚羽根の場合、２つのフォトインタラプタ４３のなす中心角は、１８°、５４°、９０°、…、３４２°（１８°と同じこと）となる。すなわち、隣接する検知手段同士つまりフォトインタラプタ４３同士のなす角度は、パルス板の信号によってリードスクリュー３５ａの回転方向が検知できる角度である。
【００４０】
切り欠き部３５ｉを一箇所で且つ面積を極力小さくするために、隣接する２つのフォトインタラプタ４３のなす中心角は、１８°が望ましいが、フォトインタラプタ４３の大きさと中心軸からの距離の関係で干渉してしまう。したがって、図１０に示す例では、当該中心角を、干渉せずに配置できる最小角度５４°に設定している。当該中心角が最小角度５４°となる切り欠き部３５ｉであれば、フォーカスモータ３５のフランジ部３５ｃの強度を保ちつつ、モータ３５とフランジ部３５ｃとの溶接部３５ｈの自由度を大きく低下させることもない。
【００４１】
仮に、５４°よりも大きな中心角にした場合は、切り欠き部３５ｉを拡大してフォーカスモータ３５のフランジ部３５ｃの強度を低下させる。また、溶接の部３５ｈの自由度も低下させてしまう。切り欠き部３５ｉを分割することも考えられるが、フォトインタラプタ４３同士を電気接続するフレキが長くなり、フォトインタラプタホルダ３６の立ち壁３６ａの範囲も増える。したがって、ゴースト等の原因となる有害光線の反射部が拡大されることになる。また、コの字板金の立ち曲げ部３５ｂを跨いで２つの切り欠きを形成すると、リードスクリュー３５ａを両持ちにしている部分の強度が低下し、軸振れの原因となり得る。
【００４２】
つまり、フランジ部３５ｃの切り欠き部３５ｉは、前述したように一箇所に小さく施すことが望ましく本実施例が理想形となる。本実施例ではパルス板４１の羽根４１ａの枚数を５枚としているが、羽根の枚数はパルスの分解能等の必要な条件に応じて変更するものであるため、この枚数に限られるものではない。
【００４３】
（実施例３）
図１１は、本実施例のフォーカスモータユニットのフレキ這い回しを示す斜視図である。実施例３のレンズ鏡筒では、２つのフォトインタラプタを電気接続するフレキの這い回しが改良されている。
【００４４】
フレキ３８による２つのフォトインタラプタの接続方法として、図１１中の矢印Ａ方向で示すように、２つのフォトインタラプタを直列接続する構成と、図１１中の矢印ｂ方向で示すように、２つのフォトインタラプタを並列接続する構成とが考えられる。
【００４５】
２つのフォトインタラプタ４３のなす中心角は小さいほど有効であるが、フレキ３８の接続を直列にしてしまうと、面実装されたフォトインタラプタ４３のフォトインタラプタホルダ３６への組み込みが困難となる。２つのフォトインタラプタ４３の片方を奥まで差し込んでしまうと、フォトインタラプタ４３同士が近距離であるため、フレキ３８の接続部分が短くもう片方のフォトインタラプタ４３が差し込めない。両方のフォトインタラプタ４３を交互に少しずつフォトインタラプタホルダ３６に差し込んでいくことも可能ではあるが、作業性としては効率がよくない。
【００４６】
また、直列に接続してフォトインタラプタ４３同士の間隔を長くしておくと、組み込みは可能であるが、リードスクリュー３５ａと垂直方向に弛みが出て、フォーカスユニットしての必要なスペースを更に増やしてしまう。特に、本実施例では、センサーホルダ３４にフォーカスモータ３５が固定された状態で固定筒３１を被写体側から組み込むため、フレキ３８の弛み部分に引掛けて断線させてしまう可能性がある。
【００４７】
したがって、本実施例では、フレキ３８の接続を並列にして、光軸方向にフレキの長さの余裕を取る。これにより、組み込み性を向上させることができる。このような構成をとるフォーカスモータユニットは、ユニット自体も固定筒３１の内周寄りに配置することが多い上に、フレキ３８は固定筒３１を跨いで外部に電気接続する必要がある。したがって、フレキ３８の長さを極力短くするために、フレキ３８も固定筒３１の内周ギリギリで配置することが多い。従って、フレキ３８の這い回しは、直列接続よりも並列接続にしてフォーカスモータ３５の軸と垂直な方向に突出させないことが望ましい。
【００４８】
本実施例では、フォトインタラプタ４３とフォーカスモータ３５の端子部３５ｄを一緒に這い回してコネクター部３８ｂから外部に電気接続するようにしている。しかし、フォーカスモータ３５の端子部３５ｄとは独立してフォトインタラプタ４３の信号線だけを外部に這い回して接続するようにしてもよい。本発明は、特定の実施例に限られるものではなく、この発明の要旨を逸脱しない範囲の様々な形態も本発明に含まれる。
【符号の説明】
【００４９】
３５    フォーカスモータ
３５ａ  スクリュー
３６    フォトインタラプタホルダ
４１    パルス板
４３    フォトインタラプタ
【図１】
2014006466.tif 000003
【図２】
2014006466.tif 000004
【図３】
2014006466.tif 000005
【図４】
2014006466.tif 000006
【図５】
2014006466.tif 000007
【図６】
2014006466.tif 000008
【図７】
2014006466.tif 000009
【図８】
2014006466.tif 000010
【図９】
2014006466.tif 000011
【図１０】
2014006466.tif 000012
【図１１】
2014006466.tif 000013
【図１２】
2014006466.tif 000014